Podtech/llm-jp-corpus-v4-ja_patent huggingface dataset:
【手続補正書】
【提出日】平成28年4月15日(2016.4.15)
【手続補正１】
【補正対象書類名】特許請求の範囲
【補正対象項目名】全文
【補正方法】変更
【補正の内容】
【特許請求の範囲】
【請求項１】
光源からの光を反射する複数の反射面を持つ光反射部材を回転駆動して光走査するための光学要素系を形成する複数の部材が実装される光学基台であって、
前記光学要素系を形成する複数の部材の少なくとも１つの部材を前記光学基台に対して結合するためのねじ部材が係合する係合孔を有し、
前記係合孔の内周面に、
開口部側に設けられ、前記ねじ部材の外周面に設けられたねじ山形状部が係合するねじ溝部と、
前記ねじ溝部の奥側に設けられ、前記ねじ山形状部が切り込んで結合可能な奥側部分と
が設けられていることを特徴とする光学基台。
【請求項２】
請求項１に記載の光学基台を備え、
前記ねじ部材が前記係合孔の前記奥側部分に結合されることで、前記光学要素系を形成する複数の部材の少なくとも１つの部材が前記光学基台に結合されていることを特徴とする光学装置。
【請求項３】
前記光学要素系を形成する部材は、前記光反射部材を回転駆動する回転駆動部が実装される駆動基板を含み、前記光学基台の前記係合孔には、前記ねじ部材が前記駆動基板を貫通して結合されていることを特徴とする請求項２に記載の光学装置。
【請求項４】
前記光学要素系を形成する部材は、前記光学基台の一方面側において実装された前記光学要素系の周囲を覆うように結合される蓋部材を含み、前記光学基台の前記係合孔には、前記ねじ部材が前記蓋部材を貫通して結合されていることを特徴とする請求項２又は３に記載の光学装置。
【請求項５】
前記ねじ部材は、前記係合孔に対して接着剤を介在させて接合していることを特徴とする請求項２乃至４のいずれか１項に記載の光学装置。
【請求項６】
請求項２乃至５のいずれか１項に記載の光学装置を光走査装置として備えたことを特徴とする画像形成装置。
【請求項７】
請求項２乃至５のいずれか１項に記載の光学装置を光走査装置として備えたことを特徴とする画像投影装置。
【請求項８】
光源からの光を反射する複数の反射面を持つ光反射部材を回転駆動して光走査するための光学要素系を形成する複数の部材が実装される光学基台を備えた光学装置の製造方法であって、
前記光学要素系を形成する複数の部材の少なくとも１つの部材を前記光学基台に結合するためのねじ部材を前記光学基台の係合孔に対して結合する前に、前記ねじ部材の外周面に設けられたねじ山形状部が係合するねじ溝部を前記係合孔の内周面のうち開口部側だけに形成したことを特徴とする光学装置の製造方法。
【請求項９】
光源からの光を反射する複数の反射面を持つ光反射部材を回転駆動して光走査するための光学要素系を形成する複数の部材が実装される光学基台を備えた光学装置の製造方法であって、
前記光学要素系を形成する複数の部材の少なくとも１つの部材を前記光学基台に設けられた係合孔に結合するためのねじ部材の外周面に設けられたねじ山形状部を、前記係合孔の開口部側に設けられたねじ溝部に係合させながら前記係合孔に挿入した後に、前記ねじ部材を前記係合孔の奥側に設けられた奥側部分に対して切り込んで結合することを特徴とする光学装置の製造方法。
【手続補正２】
【補正対象書類名】明細書
【補正対象項目名】発明の名称
【補正方法】変更
【補正の内容】
【発明の名称】光学基台、光学装置及びその製造方法
【手続補正３】
【補正対象書類名】明細書
【補正対象項目名】０００１
【補正方法】変更
【補正の内容】
【０００１】
本発明は、複数の光学部品等が実装される光学基台、このような光学基台を備えた光学装置及びその製造方法に関する。
【手続補正４】
【補正対象書類名】明細書
【補正対象項目名】０００６
【補正方法】変更
【補正の内容】
【０００６】
本発明は上述した事情に鑑み、異物混入を有効に防ぎつつ、光学要素を含めた各種構成部品を比較的簡単な構成で高精度且つ強固に実装可能であって、低コスト化が可能な光学基台、光学装置及びその製造方法を提供する。
【手続補正５】
【補正対象書類名】明細書
【補正対象項目名】０００７
【補正方法】変更
【補正の内容】
【０００７】
本発明に係る光学基台は、光源からの光を反射する複数の反射面を持つ光反射部材を回転駆動して光走査するための光学要素系を形成する複数の部材が実装される光学基台であって、前記光学要素系を形成する複数の部材の少なくとも１つの部材を前記光学基台に対して結合するためのねじ部材が係合する係合孔を有し、前記係合孔の内周面に、開口部側に設けられ、前記ねじ部材の外周面に設けられたねじ山形状部が係合するねじ溝部と、前記ねじ溝部の奥側に設けられ、前記ねじ山形状部が切り込んで結合可能な奥側部分とが設けられていることを特徴とする。
また、本発明に係る光学装置は、上述の光学基台を備え、前記ねじ部材が前記係合孔の前記奥側部分に結合されることで、前記光学要素系を形成する複数の部材の少なくとも１つの部材が前記光学基台に結合されていることを特徴とする。
【手続補正６】
【補正対象書類名】明細書
【補正対象項目名】０００８
【補正方法】変更
【補正の内容】
【０００８】
また、本発明に係る光学装置の製造方法は、光源からの光を反射する複数の反射面を持つ光反射部材を回転駆動して光走査するための光学要素系を形成する複数の部材が実装される光学基台を備えた光学装置の製造方法であって、前記光学要素系を形成する複数の部材の少なくとも１つの部材を前記光学基台に結合するためのねじ部材を前記光学基台の係合孔に対して結合する前に、前記ねじ部材の外周面に設けられたねじ山形状部が係合するねじ溝部を前記係合孔の内周面のうち開口部側だけに形成したことを特徴とする。
また、本発明に係る光学装置の製造方法は、光源からの光を反射する複数の反射面を持つ光反射部材を回転駆動して光走査するための光学要素系を形成する複数の部材が実装される光学基台を備えた光学装置の製造方法であって、前記光学要素系を形成する複数の部材の少なくとも１つの部材を前記光学基台に設けられた係合孔に結合するためのねじ部材の外周面に設けられた前記ねじ山形状部を、前記係合孔の開口部側に設けられたねじ溝部に係合させながら前記係合孔に挿入した後に、前記ねじ部材を前記係合孔の奥側に設けられた奥側部分に対して切り込んで結合することを特徴とする。
【手続補正７】
【補正対象書類名】明細書
【補正対象項目名】００２９
【補正方法】変更
【補正の内容】
【００２９】
さらに、本実施形態では、ねじ部材２００は、各係合孔１００８ａ〜１０１０ａのねじ溝部３０１への係合領域を通過後、ねじ山形状部２０１が各係合孔１００８ａ〜１０１０ａの奥側（底側）の奥側部分に向かって連続的に切り込みながら結合することになる。
【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
第１言語で発声された音声のデータに基づいて、前記音声の第１ピッチを検出するピッチ検出手段と、
前記第１言語で発声された音声のデータを音声認識するとともに、前記認識した内容を表わした前記第１言語に属する文字データを生成する文字データ生成手段と、
前記文字データ生成手段により生成された前記文字データを、前記第１言語とは異なる第２言語に翻訳するとともに、前記翻訳された内容を前記第２言語に属する文字のデータに変換する文字データ変換手段と、
前記文字データ変換手段により変換された、前記第２言語に属する前記文字のデータに対応する第２ピッチを取得するピッチ取得手段と、
前記ピッチ取得手段により取得された前記第２ピッチを時系列に平滑化するピッチ平滑化手段と、
前記ピッチ検出手段により検出された前記第１ピッチと、前記ピッチ平滑化手段により時系列に平滑化された前記第２ピッチとに基づいて、前記第２言語に属する前記文字のデータに対応する文字を発声するための新たなピッチを算出するピッチ算出手段と、
前記ピッチ算出手段により算出された新たなピッチのデータに基づいて、前記第２言語に属する前記文字のデータに対応する文字を発声させて得られる音声を生成する音声生成手段と、
を備える音声翻訳装置。
【請求項２】
前記音声翻訳装置はさらに、前記第２言語としての言語の種類を決定する言語決定手段を備える、請求項１に記載の音声翻訳装置。
【請求項３】
第１言語で発声された音声のデータに基づいて、前記音声の第１ピッチを検出し、
前記第１言語で発声された音声のデータを音声認識するとともに、前記認識した内容を表わした前記第１言語に属する文字データを生成し、
前記生成された前記文字データを、前記第１言語とは異なる第２言語に翻訳するとともに、前記翻訳された内容を前記第２言語に属する文字のデータに変換し、
前記変換された、前記第２言語に属する前記文字のデータに対応する第２ピッチを取得し、
前記取得された前記第２ピッチを時系列に平滑化し、
前記第１ピッチと、前記時系列に平滑化された前記第２ピッチとに基づいて、前記第２言語に属する前記文字のデータに対応する文字を発声するための新たなピッチを算出し、
前記算出された新たなピッチのデータに基づいて、前記第２言語に属する前記文字のデータに対応する文字を発声させて得られる音声を生成する、音声翻訳方法。
【請求項４】
第１言語で発声された音声のデータに基づいて、前記音声の第１ピッチを検出するピッチ検出ステップと、
前記第１言語で発声された音声のデータを音声認識するとともに、前記認識した内容を表わした前記第１言語に属する文字データを生成する文字データ生成ステップと、
前記生成された前記文字データを、前記第１言語とは異なる第２言語に翻訳するとともに、前記翻訳された内容を前記第２言語に属する文字のデータに変換する文字データ変換ステップと、
前記変換された、前記第２言語に属する前記文字のデータに対応する第２ピッチを取得するピッチ取得ステップと、
前記取得された前記第２ピッチを時系列に平滑化するピッチ平滑化ステップと、
前記第１ピッチと、前記時系列に平滑化された前記第２ピッチとに基づいて、前記第２言語に属する前記文字のデータに対応する文字を発声するための新たなピッチを算出するピッチ算出ステップと、
前記算出された新たなピッチのデータに基づいて、前記第２言語に属する前記文字のデータに対応する文字を発声させて得られる音声を生成する音声生成ステップと、
をコンピュータに実行させるプログラム。
【手続補正２】
【補正対象書類名】明細書
【補正対象項目名】０００６
【補正方法】変更
【補正の内容】
【０００６】
上記目的を達成するため、本発明の一態様の音声翻訳装置は、
第１言語で発声された音声のデータに基づいて、前記音声の第１ピッチを検出するピッチ検出手段と、
前記第１言語で発声された音声のデータを音声認識するとともに、前記認識した内容を表わした前記第１言語に属する文字データを生成する文字データ生成手段と、
前記文字データ生成手段により生成された前記文字データを、前記第１言語とは異なる第２言語に翻訳するとともに、前記翻訳された内容を前記第２言語に属する文字のデータに変換する文字データ変換手段と、
前記文字データ変換手段により変換された、前記第２言語に属する前記文字のデータに対応する第２ピッチを取得するピッチ取得手段と、
前記ピッチ取得手段により取得された前記第２ピッチを時系列に平滑化するピッチ平滑化手段と、
前記ピッチ検出手段により検出された前記第１ピッチと、前記ピッチ平滑化手段により時系列に平滑化された前記第２ピッチとに基づいて、前記第２言語に属する前記文字のデータに対応する文字を発声するための新たなピッチを算出するピッチ算出手段と、
前記ピッチ算出手段により算出された新たなピッチのデータに基づいて、前記第２言語に属する前記文字のデータに対応する文字を発声させて得られる音声を生成する音声生成手段と、
を備える。
【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
潜像画像を現像剤により顕像化した状態で担持する像担持体と、当該像担持体上の顕像画像を記録媒体上に転写させる転写手段と、前記記録媒体上に転写された前記顕像画像を定着させるために必要な加熱領域を選択して加熱可能な加熱手段と、転写後の前記像担持体の表面に残留した現像剤を除去するクリーニング手段と、前記必要な加熱領域の選択のため加熱領域を切り換える切換手段とを有する画像形成装置において、
前記クリーニング手段による残留現像剤の除去不良を検出するクリーニング不良検知センサを、前記像担持体又は前記転写手段に配設すると共に、当該クリーニング不良検知センサを前記顕像画像の移動方向に対して横断する方向に往復動可能に構成し、前記クリーニング不良検知センサの検出位置に前記顕像画像の前端が到来するタイミングで前記クリーニング不良検知センサの往復動を停止し、前記クリーニング不良検知センサの検出位置を前記顕像画像の後端が通過するタイミングで前記クリーニング不良検知センサの往復動を再開し、当該往復動によって、前記顕像画像の移動方向前端側と後端側に形成される非印刷領域での残留現像剤の有無を検出するようにしたことを特徴とする画像形成装置。
【請求項２】
前記印刷領域又は画像領域が前記クリーニング不良検知センサの検出位置に到来したか否かを、検出位置に対応する前記加熱手段の加熱領域内に、印刷領域の画素があるか否かで判断することを特徴とする請求項１の画像形成装置。
【請求項３】
前記クリーニング不良検知センサの往復動の範囲が、顕像画像を転写する記録媒体の幅方向寸法に対応させられていることを特徴とする請求項１の画像形成装置。
【請求項４】
前記クリーニング不良検知センサの往復動の両端部に対応する像担持体上の幅方向両端部に往復動範囲の基準となるトナー像が形成され、前記クリーニング不良検知センサによって、両端部のトナー像が検知され、トナー像の位置がクリーニング不良検知センサの往復動の両端として記憶されることを特徴とする請求項１の画像形成装置。
【請求項５】
前記クリーニング不良検知センサにより前記残留現像剤の除去不良が検出されないときは、前記顕像画像に対応した加熱領域を対象とする通常制御モードで前記加熱手段が作動され、
前記クリーニング不良検知センサにより前記残留現像剤の除去不良が検出されたときは、前記残留現像剤の除去不良を解消するクリーン制御モードで前記加熱手段が作動されることを特徴とする請求項１の画像形成装置。
【請求項６】
前記クリーン制御モードは、前記顕像画像に対応した加熱領域を含む全ての加熱領域を対象とすることを特徴とする請求項５の画像形成装置。
【請求項７】
前記クリーニング不良検知センサが、前記残留現像剤の除去不良を、前記像担持体の表面における当該除去不良の位置と関連させて検出し、前記クリーン制御モードは、前記除去不良位置に対応し残留現像剤の定着に必要な加熱領域と、前記顕像画像に対応した加熱領域を対象とすることを特徴とする請求項５の画像形成装置。
【請求項８】
前記加熱手段が、サーマルヒータ、電磁誘導加熱又は光エネルギを利用することを特徴とする請求項１から７のいずれか１の画像形成装置。
【請求項９】
前記加熱手段が前記クリーン制御モードで制御されている時に、当該制御が行われていることを通知する通知手段を有することを特徴とする請求項５から７のいずれか１の画像形成装置。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
前記課題を解決するため本発明は、潜像画像を現像剤により顕像化した状態で担持する像担持体と、当該像担持体上の顕像画像を記録媒体上に転写させる転写手段と、前記記録媒体上に転写された前記顕像画像を定着させるために必要な加熱領域を選択して加熱可能な加熱手段と、転写後の前記像担持体の表面に残留した現像剤を除去するクリーニング手段と、前記必要な加熱領域の選択のため加熱領域を切り換える切換手段とを有する画像形成装置において、前記クリーニング手段による残留現像剤の除去不良を検出するクリーニング不良検知センサを、前記像担持体又は前記転写手段に配設すると共に、当該クリーニング不良検知センサを前記顕像画像の移動方向に対して横断する方向に往復動可能に構成し、前記クリーニング不良検知センサの検出位置に前記顕像画像の前端が到来するタイミングで前記クリーニング不良検知センサの往復動を停止し、前記クリーニング不良検知センサの検出位置を前記顕像画像の後端が通過するタイミングで前記クリーニング不良検知センサの往復動を再開し、当該往復動によって、前記顕像画像の移動方向前端側と後端側に形成される非印刷領域での残留現像剤の有無を検出するようにしたことを特徴とする画像形成装置である（請求項１）。
【手続補正４】
【補正対象書類名】明細書
【補正対象項目名】００１０
【補正方法】変更
【補正の内容】
【００１０】
本発明によれば、像担持体のクリーニング不良等で非印刷領域又は非画像領域に付着した残留現像剤を、低コストな単一のクリーニング不良検知センサで広範囲かつ高信頼性で検出することができる。また、像担持体のクリーニング不良等で顕像画像の移動方向前端側と後端側に形成される非印刷領域に付着した残留現像剤を、単一のクリーニング不良検知センサで広範囲かつ高信頼性で検出することができる（請求項１）。
【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
水溶性放射性セシウムと共にカルシウムを含有する放射性セシウム含有排水を被処理水とする放射性セシウム含有排水の処理方法であって、
アルギン酸金属塩の水溶液中に放射性物質除去物質を分散させたゾル状液体を、被処理水の当該一部又は全部に加えてゲル化させてゲル状薬剤を作製する工程と、
前記ゲル状薬剤と被処理水とを混合接触させることにより、該被処理水中の水溶性放射性セシウムを当該ゲル状薬剤に吸着させて、当該被処理水から水溶性放射性セシウムを除去する工程と、
前記放射性セシウムを吸着した前記ゲル状薬剤を網目状固液分離手段で捕集して固液分離する工程と、
を備えた、放射性セシウム含有排水の処理方法。
【請求項２】
ゾル状液体と被処理水を混合接触させる前に、２価以上の金属イオンを当該被処理水に添加することによりゲル化を促進させることを特徴とする、請求項１に記載の放射性セシウム含有排水の処理方法。
【請求項３】
前記放射性物質除去機能物質が、粘土鉱物、難溶性フェロシアン化合物、活性炭及びゼオライトからなる群のうちの１種又は２種以上の組合せからなるものであることを特徴とする、請求項１又は２に記載の放射性セシウム含有排水の処理方法。
【請求項４】
放射性セシウムを含有した焼却灰の洗浄排水を被処理水とする放射性セシウム含有排水の処理方法であって、
被処理水の一部を利用して、アルギン酸金属塩の水溶液中に放射性物質除去物質を分散させたゾル状液体を、被処理水の当該一部に加えてゲル化させてゲル状薬剤を作製するゲル状薬剤調製工程と、
必要に応じて前記被処理水のｐＨを５以下に調整するｐＨ調整工程と、
前記ゲル状薬剤と前記被処理水とを混合接触させることにより、該被処理水中の水溶性放射性セシウムを当該ゲル状薬剤に吸着させて、当該被処理水から水溶性放射性セシウムを除去するセシウム除去工程と、
を備えた放射性セシウム含有排水の処理方法。
【請求項５】
前記放射性物質除去機能物質として難溶性フェロシアン化合物を用いる際は、ゾル状液体と被処理水を混合接触させる前に、該被処理水のｐＨを５以下に調整することを特徴とする請求項１〜４の何れかに記載の放射性セシウム含有排水の処理方法。
【請求項６】
前記放射性物質除去機能物質として難溶性フェロシアン化合物を用いる際は、前記ゾル状液体中の難溶性フェロシアン化合物の含有量が０．０１〜５ｗ／ｗ％となるように調整することを特徴とする、請求項１〜５の何れかに記載の放射性セシウム含有排水の処理方法。
【請求項７】
前記放射性物質除去機能物質として、難溶性フェロシアン化合物と共に、粘土鉱物、活性炭及びゼオライトからなる群のうちから選ばれる１つ以上の非フェロシアン化合物とを用いて、前記ゾル状液体中の難溶性フェロシアン化合物の含有量が０．０１〜５ｗ／ｗ％となるように調整することを特徴とする、請求項６に記載の放射性セシウム含有排水の処理方法。
【手続補正２】
【補正対象書類名】明細書
【補正対象項目名】００１０
【補正方法】変更
【補正の内容】
【００１０】
【特許文献１】特開昭５６−７９９９９号公報
【特許文献２】特開平９−１７３８３２号公報
【特許文献３】特公昭６２−４３５１９号公報
【特許文献４】特開平９−１７３８３２号公報
【特許文献５】特公昭６２−４３５１９号公報
【特許文献６】特開２０１３−６８４３８号公報
【手続補正３】
【補正対象書類名】明細書
【補正対象項目名】００１３
【補正方法】変更
【補正の内容】
【００１３】
本発明は、水溶性放射性セシウムと共にカルシウムを含有する放射性セシウム含有排水を被処理水とする放射性セシウム含有排水の処理方法であって、アルギン酸金属塩の水溶液中に放射性物質除去物質を分散させたゾル状液体を、被処理水の当該一部又は全部に加えてゲル化させてゲル状薬剤を作製する工程と、前記ゲル状薬剤と被処理水とを混合接触させることにより、該被処理水中の水溶性放射性セシウムを当該ゲル状薬剤に吸着させて、当該被処理水から水溶性放射性セシウムを除去する工程と、前記放射性セシウムを吸着した前記ゲル状薬剤を網目状固液分離手段で捕集して固液分離する工程と、を備えた放射性セシウム含有排水の処理方法を提案する。
【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
コンテンツデータを複数の視点から再生するデータ再生装置において、
再生する視点を選択する視点選択部と、
前記コンテンツデータのうち前記選択部で選択された視点からのデータを再生するデータ再生部と、を備え、
前記データ再生部は視聴ユーザに関するユーザ属性情報に基づき、前記複数の視点うち特定の視点から再生されるデータを加工して再生することを特徴とするデータ再生装置。
【請求項２】
前記ユーザ属性情報は個別の視聴ユーザに関する情報と複数の視聴ユーザに関するグループ属性情報を含む事を特徴とする請求項１に記載のデータ再生装置。
【請求項３】
前記データ再生部は前記視点選択部で視点が選択されていない場合、デフォルトの視点からのデータを再生することを特徴とする請求項１あるいは２に記載のデータ再生装置。
【請求項４】
請求項１から３のいずれかに記載のデータ再生装置から前記ユーザ属性情報を含む個別視点情報を取得する個別視点情報取得部と、
取得した前記個別視点情報に基づき、特定条件に合致した視点情報を生成する視点情報生成部と、
前記視点情報を出力する視点情報出力部を備え、
前記ユーザ情報取得部は、同じコンテンツデータに対する他の複数のデータ再生装置から個別視点情報を取得し、
前記視点情報生成部は、第１の条件に合致する前記個別視点情報をグループ単位個別視点情報とし、さらに前記グループ単位個別情報に対して、所定の範囲に含まれる視点毎の集計数において第２の条件に合致する視点を統計視点情報として生成することを特徴とする視点情報生成装置。
【請求項５】
前記第１の条件は、前記データ再生装置が再生中のコンテンツの再生時刻と同じであること、もしくは、前記再生時刻の前後所定時間内時刻であること、もしくは、前記個別視
点情報を構成する前記ユーザ属性情報を構成する各項目のうちの少なくとも１つ以上の項目が一致すること、もしくは各案件の組合せであることであり、
前記第２の条件は、前記視点毎の集計数が最も多い視点であることを特徴とする請求項４に記載の視点情報生成装置。
【請求項６】
複数の視点からのデータを含む同じコンテンツデータに対する複数の視聴ユーザに関するユーザ属性情報を取得するユーザ属性情報取得部と、
取得した前記ユーザ属性情報に基づき、特定条件に合致した視点情報を生成する視点情報生成部と、
前記コンテンツデータと前記視点情報を新たなコンテンツデータとして出力するデータ出力部を備え、
前記視点情報生成部は、第１の条件に合致する前記ユーザ属性情報をグループ属性情報と分類し、さらに前記グループ属性情報に対して、所定の範囲に含まれる視点毎の集計数において第２の条件に合致する視点を統計視点情報として生成することを特徴とする視点情報生成装置。
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
レシートを発行する印刷装置に接続されると共に、複数のサーバー装置に接続された制御装置であって、
前記印刷装置にレシートを発行させる制御コマンドを生成して出力する印刷制御部と、
前記印刷制御部が生成したレシートに係る制御コマンドを解析して、前記サーバー装置ごとに、制御コマンドに含まれる所定の情報を抽出し、抽出した情報に基づいて前記サーバー装置ごとに送信データを生成し、前記サーバー装置のそれぞれに送信するコマンド解析部と、
を備えることを特徴とする制御装置。
【請求項２】
制御コマンドには、文字列を指定すると共に、指定した文字列の印刷を指示する文字列印刷指示コマンドが含まれており、
前記コマンド解析部は、
文字列印刷指示コマンドが指定する文字列が特定の内容の場合は、当該文字列を抽出し、抽出した文字列を含む前記送信データを生成して、特定の前記サーバー装置に送信することを特徴とする請求項１に記載の制御装置。
【請求項３】
前記コマンド解析部は、
文字列印刷指示コマンドに基づいてレシートに係る記録媒体に文字列を印刷した場合における、当該文字列の位置に基づいて、当該文字列の内容を特定することを特徴とする請求項２に記載の制御装置。
【請求項４】
レシートに係る制御コマンドには、文字列印刷指示コマンドが印刷を指示する文字列について、所定の装飾を施すことを指示する文字列装飾コマンドが含まれており、
前記コマンド解析部は、
文字列印刷指示コマンドが印刷を指示する文字列に施される装飾に基づいて、当該文字列の内容を特定することを特徴とする請求項２または３に記載の制御装置。
【請求項５】
レシートを発行する印刷装置に接続された制御装置と、前記制御装置に接続された複数のサーバー装置とを備える制御システムであって、
前記制御装置は、
前記印刷装置にレシートを発行させる制御コマンドを生成して出力する印刷制御部と、
前記印刷制御部が生成したレシートに係る制御コマンドを解析して、前記サーバー装置ごとに、制御コマンドに含まれる所定の情報を抽出し、抽出した情報に基づいて前記サーバー装置ごとに送信データを生成し、前記サーバー装置のそれぞれに送信するコマンド解析部と、
を備えることを特徴とする制御システム。
【請求項６】
制御コマンドには、文字列を指定すると共に、指定した文字列の印刷を指示する文字列印刷指示コマンドが含まれており、
前記コマンド解析部は、
文字列印刷指示コマンドが指定する文字列が特定の内容の場合は、当該文字列を抽出し、抽出した文字列を含む前記送信データを生成して、特定の前記サーバー装置に送信することを特徴とする請求項５に記載の制御システム。
【請求項７】
レシートに係る制御コマンドには、文字列印刷指示コマンドが印刷を指示する文字列について、所定の装飾を施すことを指示する文字列装飾コマンドが含まれており、
前記コマンド解析部は、
文字列印刷指示コマンドが印刷を指示する文字列に施される装飾に基づいて、当該文字列の内容を特定することを特徴とする請求項５に記載の制御システム。
【請求項８】
レシートを発行する印刷装置に接続されると共に、複数のサーバー装置に接続された制御装置の制御方法であって、
前記印刷装置にレシートを発行させる制御コマンドを生成し出力し、
生成したレシートに係る制御コマンドを解析して、前記サーバー装置ごとに、制御コマンドに含まれる所定の情報を抽出し、
抽出した情報に基づいて前記サーバー装置ごとに送信データを生成し、
前記サーバー装置のそれぞれに送信する
ことを特徴とする制御装置の制御方法。
【請求項９】
制御コマンドには、文字列を指定すると共に、指定した文字列の印刷を指示する文字列印刷指示コマンドが含まれており、
文字列印刷指示コマンドが指定する文字列が特定の内容の場合は、当該文字列を抽出し、抽出した文字列を含む前記送信データを生成して、特定の前記サーバー装置に送信することを特徴とする請求項８に記載の制御装置の制御方法。
【請求項１０】
レシートに係る制御コマンドには、文字列印刷指示コマンドが印刷を指示する文字列について、所定の装飾を施すことを指示する文字列装飾コマンドが含まれており、
文字列印刷指示コマンドが印刷を指示する文字列に施される装飾に基づいて、当該文字列の内容を特定することを特徴とする請求項８に記載の制御装置の制御方法。
【手続補正２】
【補正対象書類名】明細書
【補正対象項目名】発明の名称
【補正方法】変更
【補正の内容】
【発明の名称】制御装置、制御システム、および制御装置の制御方法
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
レシートを発行する印刷装置に接続された制御装置であって、
前記印刷装置にレシートを発行させる制御コマンドを生成して出力する印刷制御部と、
前記印刷制御部が生成したレシートに係る制御コマンドを解析して、レシートに係る制御コマンドに含まれる所定の情報を抽出し、抽出した情報に基づく送信データをサーバー装置に送信するコマンド解析部と、
前記送信データの送信後、前記サーバー装置から、クーポンの発行を指示する指示データを受信した場合、前記印刷装置にクーポンを発行させる制御コマンドを生成して出力するクーポン発行制御部と、
を備えることを特徴とする制御装置。
【請求項２】
クーポンを発行するクーポン発行用印刷装置がさらに接続され、
前記クーポン発行制御部は、
前記サーバー装置から、前記指示データを受信した場合、前記クーポン発行用印刷装置にクーポンを発行させる制御コマンドを生成して出力することを特徴とする請求項１に記載の制御装置。
【請求項３】
クーポンに印刷する画像の画像データを識別情報と対応付けて記憶し、
前記指示データには、発行すべきクーポンの画像データに対応付けられた識別情報が含まれており、
前記クーポン発行制御部は、
前記サーバー装置から、前記指示データを受信した場合、前記指示データに含まれる識別情報に対応付けられた画像データに基づいてクーポンに係る制御コマンドを生成して出力することを特徴とする請求項１または２に記載の制御装置。
【請求項４】
前記コマンド解析部は、
レシートに係る制御コマンドから、購入商品に関する情報と会計に関する情報のうち少なくとも一方を抽出し、抽出した情報に基づく前記送信データを前記サーバー装置に送信することを特徴とする請求項１ないし３のいずれかに記載の制御装置。
【請求項５】
レシートを発行する印刷装置に接続された制御装置と、前記制御装置に接続されたサーバー装置とを備える制御システムであって、
前記制御装置は、
前記印刷装置にレシートを発行させる制御コマンドを生成して出力する印刷制御部と、
前記印刷制御部が生成したレシートに係る制御コマンドを解析して、レシートに係る制御コマンドに含まれる所定の情報を抽出し、抽出した情報に基づく送信データを前記サーバー装置に送信するコマンド解析部と、を備え、
前記サーバー装置は、
受信した前記送信データに基づいて、クーポンを発行すべきか否か判別し、発行すべき場合、クーポンの発行を指示する指示データを生成して、前記制御装置に送信し、
前記制御装置は、
前記サーバー装置から、前記指示データを受信した場合、前記印刷装置にクーポンを発行させる制御コマンドを生成して出力するクーポン発行制御部を備える
ことを特徴とする制御システム。
【請求項６】
前記制御装置の前記コマンド解析部は、
レシートに係る制御コマンドから、購入商品に関する情報と会計に関する情報のうち少なくとも一方を抽出し、抽出した情報に基づく前記送信データを前記サーバー装置に送信し、
前記サーバー装置は、
受信した前記送信データに基づいて、クーポンを発行すべきか否かを判別する
ことを特徴とする請求項５に記載の制御システム。
【請求項７】
前記サーバー装置は、発行すべきクーポンの画像データに対応付けられた識別情報を含む前記指示データを生成し、
前記制御装置は、
クーポンに印刷する画像の画像データを前記識別情報と対応付けて記憶し、
前記クーポン発行制御部は、前記サーバー装置から、前記指示データを受信した場合、前記指示データに含まれる前記識別情報に対応付けられた画像データに基づいてクーポンに係る制御コマンドを生成して出力することを特徴とする請求項５に記載の制御システム。
【請求項８】
レシートを発行する印刷装置に接続された制御装置の制御方法であって、
前記印刷装置にレシートを発行させる制御コマンドを生成して出力し、
生成したレシートに係る制御コマンドを解析して、レシートに係る制御コマンドに含まれる所定の情報を抽出し、抽出した情報に基づく送信データをサーバー装置に送信し、
前記送信データの送信後、前記サーバー装置から、クーポンの発行を指示する指示データを受信した場合、前記印刷装置にクーポンを発行させる制御コマンドを生成して出力することを特徴とする制御装置の制御方法。
【請求項９】
クーポンに印刷する画像の画像データを前記識別情報と対応付けて記憶し、
前記サーバー装置から発行すべきクーポンの画像データに対応付けられた識別情報を含む前記指示データを受信した場合、前記指示データに含まれる前記識別情報に対応付けられた画像データに基づいてクーポンに係る制御コマンドを生成して出力することを特徴とする請求項８に記載の制御装置の制御方法。
【手続補正２】
【補正対象書類名】明細書
【補正対象項目名】発明の名称
【補正方法】変更
【補正の内容】
【発明の名称】制御装置、制御システム、および制御装置の制御方法
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
遊技を行う遊技機であって、
異常を検出する異常検出手段と、
演出音を出力可能な演出音出力部と、
所定経路を遊技媒体が通過したときの有利度合いが、第１状態よりも有利な第２状態に制御する状態制御手段と、
前記状態制御手段によって前記第２状態に制御されている場合、前記所定経路を通過させる指示を第１表示領域に表示する第１指示表示と、該第１表示領域とは異なる第２表示領域に表示する第２指示表示とを実行可能な指示表示手段と、
前記異常検出手段によって異常が検出された場合に、報知音を前記演出音出力部から出力する報知音出力手段と、
設定条件が成立したことにもとづいて、消費される電力を減少させる節電状態に移行し、解除条件が成立したことにもとづいて、前記節電状態を解除する節電状態制御手段とを備え、
前記指示表示手段は、前記第１表示領域の少なくとも一部の視認が妨げられている場合でも、前記第２表示領域の視認が妨げられることなく前記第２指示表示を実行し、
前記節電状態制御手段は、前記解除条件が成立した場合、前記設定条件が成立してから前記節電状態に移行するまでの期間より短い期間にて前記節電状態を解除し、
前記報知音出力手段は、前記節電状態に移行されているときであっても、前記異常検出手段によって異常が検出された場合に前記報知音を出力可能である
ことを特徴とする遊技機。
【手続補正２】
【補正対象書類名】明細書
【補正対象項目名】０００７
【補正方法】変更
【補正の内容】
【０００７】
（手段１）本発明による遊技機は、遊技を行う遊技機（例えば、パチンコ遊技機１など）であって、異常を検出する異常検出手段（例えば、遊技制御用マイクロコンピュータ１００が、閉鎖状態であるにもかかわらず大入賞口に遊技球が入賞したことを検出する部分）と、演出音を出力可能な演出音出力部（例えば、スピーカ８Ｌ，８Ｒ）と、所定経路（例えば、右遊技領域２Ｂなど）を遊技媒体が通過したときの有利度合いが、第１状態（例えば通常状態など）よりも有利な第２状態（例えば、確変状態や、時短状態、大当り遊技状態、小当り遊技状態など）に制御する状態制御手段（例えば、ＣＰＵ１０３など）と、状態制御手段によって第２状態に制御されている場合、所定経路を遊技媒体が通過させる指示を第１表示領域（例えば、画像表示装置５の上方の表示領域など）に表示する第１指示表示（例えば、第１右打ち指示報知など）と、該第１表示領域とは異なる第２表示領域（例えば、画像表示装置５の下方右側の表示領域など）に表示する第２指示表示（例えば、第２右打ち指示報知など）とを実行可能な指示表示手段（例えば、演出制御用ＣＰＵ１２０など）と、異常検出手段によって異常が検出された場合に、報知音を演出音出力部から出力する報知音出力手段（例えば、演出制御用ＣＰＵ１２０が、エラーを検出したことを指定するエラー検出指定コマンドを受信した場合に、ステップＳ２２０４，Ｓ２３０４においてエラー報知演出を実行する部分）と、設定条件（例えば、客待ちデモ演出が開始されてから３０秒が経過すること）が成立したことにもとづいて、消費される電力を減少させる節電状態に移行し、解除条件（例えば、遊技者の動作を検出すること、始動入賞が発生すること）が成立したことにもとづいて、節電状態を解除する節電状態制御手段（例えば、演出制御用ＣＰＵ１２０が、ステップＳ８２０において節電状態を設定し、ステップＳ８２８において節電状態を解除する部分）とを備え、指示表示手段は、第１表示領域の少なくとも一部の視認が妨げられている場合でも、第２表示領域の視認が妨げられることなく第２指示表示を実行し、節電状態制御手段は、解除条件が成立した場合、設定条件が成立してから節電状態に移行するまでの期間（例えば、Ｔ１）より短い期間（例えば、Ｔ２）にて節電状態を解除し（例えば、演出制御用ＣＰＵ１２０が、ステップＳ２２０９，Ｓ２２１２〜Ｓ２２１４，Ｓ８２０において、客待ちデモ演出が開始されてから３０秒が経過することが成立した時点からＴ１経過後に節電状態を設定し、ステップＳ２３１２，Ｓ２３１５〜Ｓ２３１７，Ｓ８２８において、節電状態において遊技者の動作を検出することまたは始動入賞が発生することが成立した時点からＴ２（Ｔ１＞Ｔ２）経過後に節電状態を解除する部分）、報知音出力手段は、節電状態に移行されているときであっても、異常検出手段によって異常が検出された場合に報知音を出力可能である（例えば、演出制御用ＣＰＵ１２０が、ステップＳ２２０９，Ｓ２２１２〜Ｓ２２１４，Ｓ８２０において、客待ちデモ演出が開始されてから３０秒が経過することが成立した時点からＴ１経過後に節電状態を設定し、ステップＳ２３０１のＹ，Ｓ２３０４において、節電状態にてエラーを検出したことを指定するエラー検出指定コマンドを受信した場合に、エラー報知演出を実行する部分）ことを特徴とする。このような構成によれば、第１表示領域の少なくとも一部の視認が妨げられている場合でも、第２表示領域の視認が妨げられることなく第２指示表示を実行することができるため、遊技者は、指示を容易に認識することができる。
【手続補正書】
【提出日】平成28年10月20日(2016.10.20)
【手続補正１】
【補正対象書類名】特許請求の範囲
【補正対象項目名】請求項１
【補正方法】変更
【補正の内容】
【請求項１】
遊技の進行を制御するメイン制御手段と、
払出し枚数データを記憶する第１記憶手段と、
払出し信号を外部に出力するためのデータを記憶する第２記憶手段と
を備え、
前記メイン制御手段は、
入賞した小役の払出し数が「Ｙ（Ｙは、自然数。以下同じ。）」であるときは、第１記憶手段に「Ｙ」のデータを記憶し、
第２記憶手段に記憶されているデータが「０」である状況下において、入賞した小役の払出し数が「Ｙ」であるときは、「２×Ｙ」のデータを第２記憶手段に記憶し、
第１記憶手段に記憶されているデータに対応する遊技媒体の払出し処理を実行し、
第２記憶手段に記憶されているデータを、所定時間が経過することによって減算し、
第２記憶手段に記憶されているデータが「２×ｎ（ｎは、自然数。以下同じ。）」であるときは、払出し信号としてオンを示す信号を出力し、
第２記憶手段に記憶されているデータが「２×ｎ−１」であるときは、払出し信号としてオフを示す信号を出力し、
第２記憶手段に記憶されているデータが「０」であるときは、払出し信号としてオフを示す信号を出力する
ことを特徴とする遊技機。
【手続補正２】
【補正対象書類名】明細書
【補正対象項目名】０００１
【補正方法】変更
【補正の内容】
【０００１】
本発明は、遊技媒体の払出し信号を出力する遊技機に関するものである。
【手続補正３】
【補正対象書類名】明細書
【補正対象項目名】０００２
【補正方法】変更
【補正の内容】
【０００２】
従来より、遊技機の一例であるスロットマシンでは、役の入賞時には、その役に対応する枚数のメダルが払い出される。メダルが払い出されると、払出し枚数分に相当する信号を外部に送信していた。その信号の送信は、たとえばオンとオフとを繰り返す処理を行うものであった。
【手続補正４】
【補正対象書類名】明細書
【補正対象項目名】０００３
【補正方法】変更
【補正の内容】
【０００３】
【特許文献１】特開２００９−０６６１７１号公報
【手続補正５】
【補正対象書類名】明細書
【補正対象項目名】０００４
【補正方法】変更
【補正の内容】
【０００４】
本発明が解決しようとする課題は、遊技媒体の払出し信号を外部に出力する遊技機において、簡素な演算処理により、正確な払出し数を外部信号として出力可能にすることである。
【手続補正６】
【補正対象書類名】明細書
【補正対象項目名】０００５
【補正方法】変更
【補正の内容】
【０００５】
本発明は、以下の解決手段によって上述の課題を解決する。なお、かっこ書きで、対応する実施形態の構成を示す。
本発明は、
遊技の進行を制御するメイン制御手段（メイン制御基板６０）と、
払出し枚数データを記憶する第１記憶手段（ＲＷＭ６１中、アドレス「Ｆ０６Ｅ」のメダル払出し枚数データ（_NB_PAY_MEDAL ））（図１７）と、
払出し信号を外部に出力するためのデータを記憶する第２記憶手段（ＲＷＭ６１中、アドレス「Ｆ０７０」のメダル払出し信号出力回数（_CT_MEDAL_OUT ））（図１７）と
を備え、
前記メイン制御手段は、
入賞した小役の払出し数が「Ｙ（Ｙは、自然数。以下同じ。）」であるときは、第１記憶手段に「Ｙ」のデータを記憶し（図３９のステップＳ６５）、
第２記憶手段に記憶されているデータが「０」である状況下において、入賞した小役の払出し数が「Ｙ」であるときは、「２×Ｙ」のデータを第２記憶手段に記憶し（図６３のステップＳ４６２）、
第１記憶手段に記憶されているデータに対応する遊技媒体の払出し処理を実行し（図６３中、ステップＳ４６４〜Ｓ４７３）、
第２記憶手段に記憶されているデータを、所定時間（４６割込み、約１００ｍｓ）が経過することによって（図７２のステップＳ９６１で「Ｙｅｓ」のとき）減算し（図７２中、ステップＳ９６７）、
第２記憶手段に記憶されているデータが「２×ｎ（ｎは、自然数。以下同じ。）」であるときは、払出し信号としてオンを示す信号を出力し、
第２記憶手段に記憶されているデータが「２×ｎ−１」であるときは、払出し信号としてオフを示す信号を出力し、
第２記憶手段に記憶されているデータが「０」であるときは、払出し信号としてオフを示す信号を出力する（図１８、図７２のステップＳ９７１））
ことを特徴とする。
【手続補正７】
【補正対象書類名】明細書
【補正対象項目名】０００６
【補正方法】変更
【補正の内容】
【０００６】
本発明によれば、簡素な演算処理により、払出し数に対応する数（払出し数を２倍にした数）の払出し信号を外部に正しく送信することができる。
【手続補正書】
【提出日】平成28年5月9日(2016.5.9)
【手続補正１】
【補正対象書類名】特許請求の範囲
【補正対象項目名】請求項１
【補正方法】変更
【補正の内容】
【請求項１】
所定の信号が入力される特定の入力ポートと、
遊技の進行を制御する主制御手段と
を備え、
前記特定の入力ポートに入力される前記所定の信号には、設定変更状態への移行条件を満たすか否かの判断に必要な特定スイッチのオン／オフを示す信号を含み、
前記特定スイッチのオン／オフを示す信号には、少なくとも、ドアスイッチのオン／オフを示すドアスイッチ信号と、設定キースイッチのオン／オフを示す設定キースイッチ信号とを含み、
前記主制御手段は、電源スイッチがオンとなった後に、前記特定の入力ポートに入力されている前記特定スイッチのオン／オフを示す信号に基づいて設定変更状態への移行条件を満たすか否かを判断し、設定変更状態への移行条件を満たすと判断したときは、設定変更状態に移行可能とする
ことを特徴とする遊技機。
【手続補正２】
【補正対象書類名】明細書
【補正対象項目名】０００１
【補正方法】変更
【補正の内容】
【０００１】
本発明は、電源断からの復帰時に設定変更が可能な遊技機に関するものである。
【手続補正３】
【補正対象書類名】明細書
【補正対象項目名】０００２
【補正方法】変更
【補正の内容】
【０００２】
従来の遊技機において、設定キースイッチがオンであるか否かを判断し、設定キースイッチがオンであると判断した後、次に、ドア開放スイッチがオンであるか否かを判断し、ドア開放スイッチがオンであると判断したことを条件として、設定変更処理に移行する遊技機が知られている（たとえば、特許文献１参照）。
【手続補正４】
【補正対象書類名】明細書
【補正対象項目名】０００３
【補正方法】変更
【補正の内容】
【０００３】
【特許文献１】特開２０１１−１８２８３９号公報
【手続補正５】
【補正対象書類名】明細書
【補正対象項目名】０００４
【補正方法】変更
【補正の内容】
【０００４】
本発明が解決しようとする課題は、少ない処理によって設定変更処理に移行できるようにすることである。
【手続補正６】
【補正対象書類名】明細書
【補正対象項目名】０００５
【補正方法】変更
【補正の内容】
【０００５】
本発明は、以下の解決手段によって上述の課題を解決する。なお、かっこ書きで、対応する実施形態の構成を示す。
本発明は、
所定の信号が入力される特定の入力ポート（入力ポート１）と、
遊技の進行を制御する主制御手段（メイン制御基板６０）と
を備え、
前記特定の入力ポートに入力される前記所定の信号には、設定変更状態への移行条件を満たすか否かの判断に必要な特定スイッチ（図３２のステップＳ１８に記載の「指定スイッチ」）のオン／オフを示す信号を含み、
前記特定スイッチのオン／オフを示す信号には、少なくとも、ドアスイッチ（１６）のオン／オフを示すドアスイッチ信号（入力ポート１のＤ１ビット）と、設定キースイッチ（５２）のオン／オフを示す設定キースイッチ信号（入力ポート１のＤ３ビット）とを含み、
前記主制御手段は、電源スイッチ（５１）がオンとなった後に、前記特定の入力ポートに入力されている前記特定スイッチのオン／オフを示す信号に基づいて設定変更状態への移行条件を満たすか否かを判断し（図３２のステップＳ１８）、設定変更状態への移行条件を満たすと判断したとき（ステップＳ１８で「Ｙｅｓ」）は、設定変更状態（ステップＳ２２）に移行可能とする
ことを特徴とする。
【手続補正７】
【補正対象書類名】明細書
【補正対象項目名】０００６
【補正方法】変更
【補正の内容】
【０００６】
本発明によれば、設定変更状態への移行条件を満たすか否かの判断に必要な特定スイッチのオン／オフを示す信号の入力は、特定の入力ポートに集約しているので、特定の入力ポートにおける特定スイッチの信号のオン／オフを判断するだけで、設定変更状態への移行条件を満たすか否かを判断することができる。これにより、少ない処理で、設定変更状態に移行することができる。
【手続補正８】
【補正対象書類名】明細書
【補正対象項目名】０７２９
【補正方法】変更
【補正の内容】
【０７２９】
＜付記＞
本願の出願当初の請求項に係る発明（当初発明）が解決しようとする課題、当初発明に係る課題を解決するための手段及び当初発明の効果は、以下の通りである。
（ａ）当初発明が解決しようとする課題
当初発明は、電源断からの復帰時に外部信号を出力する遊技機に関するものである。
従来の遊技機において、たとえば特開２００９−０６６１７１号公報には、電源オン時にセキュリティ信号を送信するために、信号出力残回数情報に「３」をセットし、セキュリティ信号出力待機タイマに「７２０ｍｓ」をセットすることが開示されている。
しかし、従来の技術において、電源断復帰時に、即座に外部信号を送信することができなかった。
当初発明が解決しようとする課題は、電源断復帰時に、迅速かつ確実に外部信号を送信することである。
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
撮像装置から周期的に撮影された撮像画像を取得する画像取得部と、
撮像画像において複数のユーザの顔画像を検出する顔認識部と、
表示画像に含めるユーザを決定する表示ユーザ決定部と、
撮像画像から、決定されたユーザの顔画像を含む領域を切り出す顔画像切出部と、
切り出した領域を含む表示画像を生成する表示画像生成部と、
指示を受け付ける指示受付部と、を備え、
前記指示受付部が受け付けた指示をもとに、前記表示ユーザ決定部が、表示画像に含めるユーザを決定して、前記顔画像切出部が、決定されたユーザの顔画像を含む領域を切り出すことを特徴とする情報処理装置。
【請求項２】
前記顔画像切出部は、１人のユーザの顔画像を含む領域を切り出すことを特徴とする請求項１に記載の情報処理装置。
【請求項３】
前記指示受付部は、表示画像に含めるユーザの切替指示を受け付け、前記表示ユーザ決定部は、切替指示をもとに、表示画像に含めるユーザを決定することを特徴とする請求項１または２に記載の情報処理装置。
【請求項４】
複数のユーザの表示順序を決定する順序決定部を、さらに備え、
前記指示受付部がユーザの切替指示を受け付けると、前記表示ユーザ決定部は、表示順序にしたがって、ユーザを決定することを特徴とする請求項３に記載の情報処理装置。
【請求項５】
前記指示受付部が、ユーザを指定する指示を受け付けると、前記表示ユーザ決定部が、指定されたユーザを表示画像に含めることを決定する、ことを特徴とする請求項１から３のいずれかに記載の情報処理装置。
【請求項６】
撮像装置から周期的に撮影された撮像画像を取得する画像取得部と、
撮像画像において複数のユーザの顔画像を検出する顔認識部と、
所定の音声コマンドを、表示画像に含めるユーザの切替指示として受け付ける指示受付部と、
切替指示をもとに、表示画像に含めるユーザを決定する表示ユーザ決定部と、
撮像画像から、決定されたユーザの顔画像を含む領域を切り出す顔画像切出部と、
切り出した領域を含む表示画像を生成する表示画像生成部と、
を備えることを特徴とする情報処理装置。
【請求項７】
前記表示画像生成部は、第１の領域にアプリケーション画像を配置し、第２の領域に切り出した領域を配置した表示画像を生成することを特徴とする請求項１から６のいずれかに記載の情報処理装置。
【請求項８】
前記表示画像生成部は、第２の領域を、第１の領域内に設定することを特徴とする請求項７に記載の情報処理装置。
【請求項９】
前記表示画像生成部は、第１の領域と第２の領域とが重ならないように設定することを特徴とする請求項７に記載の情報処理装置。
【請求項１０】
前記顔画像切出部は、複数のユーザの顔画像を含む領域を切り出すことを特徴とする請求項１から９のいずれかに記載の情報処理装置。
【請求項１１】
コンピュータに、
撮像装置から周期的に撮影された撮像画像を取得する機能と、
撮像画像において複数のユーザの顔画像を検出する機能と、
指示を受け付ける機能と、
受け付けた指示をもとに、表示画像に含めるユーザを決定する機能と、
撮像画像から、決定されたユーザの顔画像を含む領域を切り出す機能と、
切り出した領域を含む表示画像を生成する機能と、
指示を受け付ける機能と、
を実現させるためのプログラム。
【請求項１２】
請求項１１に記載のプログラムを記録したコンピュータ読み取り可能な記録媒体。
【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御する遊技機であって、
可変表示に伴って、前記有利状態に制御される割合が異なる複数種類のリーチ演出を実行可能なリーチ演出実行手段を備え、
前記リーチ演出実行手段は、
一の種類のリーチ演出を開始した後に他の種類のリーチ演出に切り替えるリーチ切替演出を一の可変表示において複数回実行可能なリーチ切替演出実行手段を含み、
特定種類のリーチ演出を開始した後前記リーチ切替演出が実行される場合に、所定回目の前記リーチ切替演出であるときと、前記所定回目より多い回の前記リーチ切替演出であるときとでは、特定種類のリーチ演出を開始してからの前記リーチ切替演出の実行可能タイミングが異なり、
前記リーチ切替演出が実行されるタイミングに応じて前記有利状態に制御される割合が異なる、
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に係り、詳しくは、可変表示を行い、遊技者にとって有利な有利状態に制御する遊技機に関する。
【手続補正３】
【補正対象書類名】明細書
【補正対象項目名】０００７
【補正方法】変更
【補正の内容】
【０００７】
（１）上記目的を達成するため、本発明の第１の観点に係る遊技機は、
可変表示（例えば特別図柄や飾り図柄などの可変表示）を行い、遊技者にとって有利な有利状態（例えば大当り遊技状態など）に制御する遊技機（例えばパチンコ遊技機１など）であって、
可変表示に伴って、前記有利状態に制御される割合が異なる複数種類のリーチ演出を実行可能なリーチ演出実行手段（例えばステップＳ５５３の処理を実行する演出制御用ＣＰＵ１２０など）を備え、
前記リーチ演出実行手段は、
一の種類のリーチ演出を開始した後に他の種類のリーチ演出に切り替えるリーチ切替演出を一の可変表示において複数回実行可能なリーチ切替演出実行手段（例えば特殊スーパーリーチのリーチ演出を実行する演出制御用ＣＰＵ１２０など）を含み、
特定種類のリーチ演出を開始した後前記リーチ切替演出が実行される場合に、所定回目の前記リーチ切替演出であるときと、前記所定回目より多い回の前記リーチ切替演出であるときとでは、特定種類のリーチ演出を開始してからの前記リーチ切替演出の実行可能タイミングが異なり、
前記リーチ切替演出が実行されるタイミングに応じて前記有利状態に制御される割合が異なる、
ことを特徴とする。
【手続補正４】
【補正対象書類名】明細書
【補正対象項目名】０００８
【補正方法】変更
【補正の内容】
【０００８】
このような構成によれば、演出が単調となることを防ぎ遊技興趣の低下を防止することができる。